(57)【要約】【解決手段】先に底部方向に倒される側壁３に配設されたロック部材Ｌ１〜Ｌ３を、先に底部方向に倒される側壁と後から底部方向に倒される側壁２とのロック状態から、先に底部方向に倒される側壁と後から底部方向に倒される側壁とのロック解除状態へ移動させることにより、水平状態の中仕切り部材に、作業者が触れることなく、水平状態の中仕切り部材を、底部方向に下降するように構成したものである。【効果】水平状態の中仕切り部材に、作業者が触れることなく、水平状態の中仕切り部材を、底部方向に下降するように構成したので、折り畳みコンテナーの折り畳み作業性が向上する。【選択図】図１０
2011121590.tif 000002
【特許請求の範囲】
【請求項１】
底部と、該底部の相対する一方の土手部にヒンジ連結された相対する一方の側壁と、前記底部の相対するもう一方の土手部にヒンジ連結された相対するもう一方の側壁とからなり、箱型に組み立てられた状態から、相対する一方の側壁を、先に、底部方向に倒し、次いで、もう一方の側壁を、後から、底部方向に倒すことにより、折り畳むように構成された中仕切り部材付き折り畳みコンテナーにおいて、前記先に底部方向に倒される側壁に配設されたロック部材を、前記先に底部方向に倒される側壁と前記後から底部方向に倒される側壁とのロック状態から、前記先に底部方向に倒される側壁と前記後から底部方向に倒される側壁とのロック解除状態へ移動させることにより、水平状態の中仕切り部材に、作業者が触れることなく、前記水平状態の中仕切り部材を、底部方向に下降するように構成されていることを特徴とする中仕切り部材付き折り畳みコンテナー。
【請求項２】
前記中仕切り部材に、前記ロック部材を構成する中仕切り部材載置部材が挿通可能な板載置部挿通可能切欠き凹部を形成し、前記ロック解除状態においては、前記中仕切り部材載置部材が、前記板載置部挿通可能切欠き凹部の真下に位置するように構成されていることを特徴とする請求項１に記載の中仕切り部材付き折り畳みコンテナー。
【請求項３】
前記先に底部方向に倒される側壁に、該側壁の内面から引っ込むように構成された中仕切り部材載置部材を配設し、前記ロック解除状態においては、前記中仕切り部材載置部材が、前記先に底部方向に倒される側壁の内面から引っ込むように構成されていることを特徴とする請求項１に記載の中仕切り部材付き折り畳みコンテナー。
【発明の詳細な説明】
【技術分野】
【０００１】
本発明は、底部と、底部の相対する一方の土手部にヒンジ連結された相対する一方の側壁と、底部の相対するもう一方の土手部にヒンジ連結された相対するもう一方の側壁とからなり、箱型に組み立てられた状態から、相対する一方の側壁を、底部に重なるように倒し、次いで、もう一方の側壁を、先に倒された前記相対する一方の側壁に重なるように倒すことにより、折り畳むように構成された折り畳みコンテナーの内部を仕切る中仕切り部材が配設された中仕切り部材付き折り畳みコンテナーに関するものである。このような形式の折り畳みコンテナーは、所謂、内倒れ式折り畳みコンテナーと称されている。
【背景技術】
【０００２】
従来、上部枠の相対する一方の短辺枠に、上端部がヒンジ連結されているはね上げ側壁と、上部枠の相対するもう一方の長辺枠と底部の間に配設された上部分割側壁部と下部分割側壁部とからなる分割側壁とを有する折り畳みコンテナー内に、水平状に中仕切り部材を取り付けた折り畳みコンテナーが、特許文献１に開示されている。箱型に組み立てられた状態から、このような折り畳みコンテナーを折り畳むには、先ず最初に、水平状の中仕切り部材を、作業者が、上部枠まで持ち上げ、その後、はね上げ側壁を、略水平状態となるように上方にはね上げ、次いで、分割側壁を構成する上部分割側壁部と下部分割側壁部とが、互いに重なるように折り畳むことにより、折り畳みコンテナーを折り畳むように構成されており、このような形式の折り畳みコンテナーは、所謂、はね上げ側壁・分割側壁式折り畳みコンテナーと称されている。
【０００３】
また、上述した内倒れ式折り畳みコンテナーが、箱型に組み立てられた状態において、折り畳み作業の際に、先に底部方向に倒される一方の側壁が、底部方向に倒れないように、後から底部方向に倒されるもう一方の側壁とロックされるように構成されており、先に倒される一方の側壁と後から倒されるもう一方の側壁とのロック状態を解除するためのロック解除部材が、先に倒される一方の側壁に配設されている内倒れ式折り畳みコンテナーが、一例として、本出願人に係る特許文献２や特許文献３に開示されている。
【先行技術文献】
【特許文献】
【０００４】
【特許文献１】実開平０２−３１８２８
【特許文献２】特許第３７３５５５７号公報
【特許文献３】米国特許第６、２９０、０８１号公報
【発明の概要】
【発明が解決しようとする課題】
【０００５】
上述した従来のはね上げ側壁・分割側壁式折り畳みコンテナーを折り畳む際には、水平状の中仕切り部材を、作業者が、上部枠まで持ち上げ、その後、はね上げ側壁を、略水平状態となるように上方にはね上げ、次いで、分割側壁を構成する上部分割側壁部と下部分割側壁部とが、互いに重なるようにして折り畳むことになり、従って、はね上げ側壁・分割側壁式折り畳みコンテナーを折り畳む際には、作業者が、中仕切り部材を持ち上げなければならず、はね上げ側壁・分割側壁式折り畳みコンテナーの折り畳み作業の作業性が悪いという問題があった。
【０００６】
また、はね上げ側壁・分割側壁式折り畳みコンテナーを折り畳んだ際には、中仕切り部材が、一番上に位置しているために、上部枠に形成されたストッパを越えて、中仕切り部材が上方に移動し、折り畳まれた状態の折り畳みコンテナーから外れるという問題があった。
【０００７】
更に、上述した内倒れ式折り畳みコンテナーに、中仕切り部材が配設されている場合には、先ず最初に、中仕切り部材を、箱型に組み立てられた状態の内倒れ式折り畳みコンテナーから排出するか、中仕切り部材を、底部に重なるように下降させ、その後、ロック解除部材を操作し、内倒れ式折り畳みコンテナーを折り畳まなければならず、内倒れ式折り畳みコンテナーの折り畳み作業の作業性が悪いという問題があった。
【０００８】
本発明の目的は、上述した従来の発明が有する課題を解決することにある。
【課題を解決するための手段】
【０００９】
本発明は、上述した目的を達成するために、底部と、該底部の相対する一方の土手部にヒンジ連結された相対する一方の側壁と、前記底部の相対するもう一方の土手部にヒンジ連結された相対するもう一方の側壁とからなり、箱型に組み立てられた状態から、相対する一方の側壁を、先に、底部方向に倒し、次いで、もう一方の側壁を、後から、底部方向に倒すことにより、折り畳むように構成された中仕切り部材付き折り畳みコンテナーにおいて、第１には、前記先に底部方向に倒される側壁に配設されたロック部材を、前記先に底部方向に倒される側壁と前記後から底部方向に倒される側壁とのロック状態から、前記先に底部方向に倒される側壁と前記後から底部方向に倒される側壁とのロック解除状態へ移動させることにより、水平状態の中仕切り部材に、作業者が触れることなく、前記水平状態の中仕切り部材を、底部方向に下降するように構成したものであり、第２には、前記中仕切り部材に、前記ロック部材を構成する中仕切り部材載置部材が挿通可能な板載置部挿通可能切欠き凹部を形成し、前記ロック解除状態においては、前記中仕切り部材載置部材が、前記板載置部挿通可能切欠き凹部の真下に位置するように構成したものであり、第３には、前記先に底部方向に倒される側壁に、該側壁の内面から引っ込むように構成された中仕切り部材載置部材を配設し、前記ロック解除状態においては、前記中仕切り部材載置部材が、前記先に底部方向に倒される側壁の内面から引っ込むように構成したものである。
【発明の効果】
【００１０】
先に底部方向に倒される側壁に配設されたロック部材を、先に底部方向に倒される側壁と前記後から底部方向に倒される側壁とのロック状態から、先に底部方向に倒される側壁と前記後から底部方向に倒される側壁とのロック解除状態へ移動させることにより、水平状態の中仕切り部材に、作業者が触れることなく、水平状態の中仕切り部材を、底部方向に下降するように構成したので、折り畳みコンテナーの折り畳み作業性が向上する。
【００１１】
また、折り畳みコンテナーが折り畳まれた状態においては、中仕切り部材が、先に底部方向に倒される側壁と後から底部方向に倒される側壁の下方に位置するので、中仕切り部材が、折り畳まれた状態の折り畳みコンテナーから外れるようなことを防止することができる。
【００１２】
中仕切り部材に、ロック部材を構成する中仕切り部材載置部材が挿通可能な板載置部挿通可能切欠き凹部を形成し、ロック解除状態においては、中仕切り部材載置部材が、板載置部挿通可能切欠き凹部の真下に位置するように構成したので、折り畳みコンテナーの折り畳み作業性が向上する。
【００１３】
先に底部方向に倒される側壁に、該側壁の内面から引っ込むように構成された中仕切り部材載置部材を配設し、ロック解除状態においては、中仕切り部材載置部材が、先に底部方向に倒される側壁の内面から引っ込むように構成したので、折り畳みコンテナーの折り畳み作業性が向上する。
【図面の簡単な説明】
【００１４】
【図１】図１は、本発明の中仕切り部材付き折り畳みコンテナーに配設されたロック解除本体の斜視図である。
【図２】図２は、同じく、本発明の中仕切り部材付き折り畳みコンテナーに配設されたロック解除本体の斜視図である。
【図３】図３は、本発明の中仕切り部材付き折り畳みコンテナーを構成する短側壁の斜視図である。
【図４】図４は、同じく、本発明の中仕切り部材付き折り畳みコンテナーを構成する短側壁の斜視図である。
【図５】図５は、本発明の中仕切り部材付き折り畳みコンテナーを構成する短側壁の部分拡大斜視図である。
【図６】図６は、本発明の中仕切り部材付き折り畳みコンテナーに配設された中仕切り部材の斜視図である。
【図７】図７は、本発明の中仕切り部材付き折り畳みコンテナーに配設された中仕切り部材の部分拡大斜視図である。
【図８】図８は、本発明の中仕切り部材付き折り畳みコンテナーの斜視図である。
【図９】図９は、本発明の中仕切り部材付き折り畳みコンテナーの部分拡大斜視図である。
【図１０】図１０は、同じく、本発明の中仕切り部材付き折り畳みコンテナーの部分拡大斜視図である。
【図１１】図１１は、同じく、本発明の中仕切り部材付き折り畳みコンテナーの部分拡大斜視図である。
【図１２】図１２は、本発明の中仕切り部材付き折り畳みコンテナーに配設された別の実施例の中仕切り部材の斜視図である。
【図１３】図１３は、別の実施例の本発明の中仕切り部材付き折り畳みコンテナーの斜視図である。
【図１４】図１４は、別の実施例の本発明の中仕切り部材付き折り畳みコンテナーの斜視図である。
【図１５】図１５は、本発明の中仕切り部材付き折り畳みコンテナーの別の実施例の短側壁の斜視図である。
【図１６】図１６は、本発明の中仕切り部材付き折り畳みコンテナーに配設される別の実施例のロック部材の斜視図である。
【図１７】図１７は、図１６に示されているロック部材に配設される中仕切り部材載置部材の斜視図である。
【図１８】図１８は、同じく、図１６に示されているロック部材に配設される中仕切り部材載置部材の斜視図である。
【図１９】図１９は、本発明の中仕切り部材付き折り畳みコンテナーに配設される別の実施例のロック部材の斜視図である。
【図２０】図２０は、図１９に示されているロック部材が配設された短側壁の正面図である。
【図２１】図２１は、図２０に示されているロック部材が配設された短側壁の板状部に垂直な部分拡大断面図である。
【図２２】図２２は、同じく、図２０に示されているロック部材が配設された短側壁の板状部に垂直な部分拡大断面図である。
【図２３】図２３は、本発明の中仕切り部材付き折り畳みコンテナーの更に別の実施例の短側壁の斜視図である。
【図２４】図２４は、図２３に示されている短側壁に配設されるロック部材を構成する中仕切り部材載置部材の斜視図である。
【図２５】図２５は、図２３に示されている短側壁の部分拡大斜視図である。
【図２６】図２６は、本発明の中仕切り部材付き折り畳みコンテナーの更に別の実施例の斜視図である。
【図２７】図２７は、公知の中仕切り部材付き折り畳みコンテナーの斜視図である。
【図２８】図２８は、同じく、公知の中仕切り部材付き折り畳みコンテナーの斜視図である。
【図２９】図２９は、公知の中仕切り部材付き折り畳みコンテナーの分解拡大斜視図である。
【図３０】図３０は、公知の中仕切り部材付き折り畳みコンテナーを構成する短側壁の正面図である。
【図３１】図３１は、同じく、公知の中仕切り部材付き折り畳みコンテナーを構成する短側壁の正面図である。
【実施例】
【００１５】
以下に、本発明の実施例について説明するが、本発明の趣旨を越えない限り、何ら本実施例に限定されるものではない。
【００１６】
先ず最初に、本出願人の先に出願に係る上述した特許文献２を基づいて、図２７〜図３１を参照しながら、中仕切り部材が配設されていない折り畳みコンテナーについて概説する。なお、図面及び図面中の符号は、特許文献２に示されている図面と符号を使用した。
【００１７】
折り畳みコンテナーは、底部１と、底部１の長辺側土手部１ａにヒンジ連結された相対する長側壁２と、同じく、底部１の短辺側土手部１ｂにヒンジ連結された相対する短側壁３とから構成されており、短辺側土手部１ｂの高さは、長辺側土手部１ａの高さより、低く構成されている。箱型に組み立てられた状態から、先ず最初に、短側壁３を、底部１に重なるように倒し、次いで、長側壁２を、底部１に重ねられた短側壁３に重なるように倒すことにより、折り畳みコンテナーをコンパクトに折り畳むことができるように構成されている。また、折り畳まれた状態から、長側壁２を、略垂直に立て、次いで、短側壁３を略垂直に立てることにより、折り畳まれていた折り畳みコンテナーを、箱型に組み立てることができるように構成されている。
【００１８】
長側壁２の板状部２ａの上部両端角部付近には、それぞれ、コの字状のスリット２ｆが形成されており、コの字状のスリット２ｆを形成することにより、スリット２ｆで囲まれた部分が、片持ち状の係止弾性片２ｇに形成されている。係止弾性片２ｇの先端には、係止突部２ｇ１が突設されており、係止突部２ｇ１の係合枠２ｄ側の垂直面は、係合枠２ｄと略平行な垂直面に形成されている。なお、係止弾性片２ｇの係止突部２ｇ１は、その先端が、長側壁２の板状部２ａの内面（折り畳みコンテナーが箱型に組み立てられた際に、折り畳みコンテナーの内側に位置する面）から突出するように形成されている。
【００１９】
短側壁３には、板状部３ａの上下端辺及び左右端辺に沿って、板状部３ａの面に対して垂直に延在する周辺リブ３ｂが延設されている。また、短側壁３には、周辺リブ３ｂを構成する上部水平部３ｂ２や同じく周辺リブ３ｂを構成する垂直方向に延在する側部３ｂ１や板状部３ａの上方に形成された第１水平リブ３ｇ１や該第１水平リブ３ｇ１の上方に位置する、第１水平リブ３ｇ１より幅狭の第２水平リブ３ｇ２や該第２水平リブ３ｇ２の両端から垂直に、第１水平リブ３ｇ１まで延在する相対する内側垂直リブ３ｇ３等により、後述するロック部材Ｌ１が配設される領域が形成されている。更に、短側壁３の側部３ｂ１付近には、側部３ｂ１から上方に向かって傾斜した上部傾斜リブ３ｇ７と、側部３ｂ１から下方に向かって傾斜した下部傾斜リブ３ｇ８とが形成されている。なお、側部３ｂ１には、後述するロック解除本体４の押圧部４ｂが挿入されるスリット３ｋが形成されている。なお、３ｃは、箱型に組み立てられた状態において、長側壁２に形成された係合枠２ｄと対向するように形成された張出枠３ｃである。張出枠３ｃには、嵌合突部３ｅ１〜３ｅ３が突設されており、折り畳みコンテナーが箱型に組み立てられた状態においては、嵌合突部３ｅ１〜３ｅ３が、長側壁２の係合枠２ｄに穿設された嵌合孔２ｅ１〜２ｅ３に嵌合されるように構成されている。
【００２０】
ロック部材Ｌ１は、一対のロック解除本体４と一対のロック解除操作体５とから構成されており、ロック解除本体４は、略方形状の基部４ａと押圧部４ｂと一対の弾性条片４ｄ１からなる矢印状の弾性翼部４ｄとを有しており、また、ロック解除操作体５は、水平基部５ａと押出枠５ｂと摘み部５ｃとを有している。
【００２１】
ロック解除本体４は、ロック解除本体４の押圧部４ｂを、短側壁３の側部３ｂ１に形成されたスリット３ｋに挿入するとともに、ロック解除本体４の一対の弾性条片４ｄ１の先端部が、それぞれ、上部傾斜リブ３ｇ７と下部傾斜リブ３ｇ８の角部に当接、或いは、接近して位置するように、短側壁３のロック部材配設領域の左右部分に配置する。また、ロック解除操作体５を、ロック解除操作体５の押出枠５ｂが、ロック解除本体４の基部４ａに当接、或いは、接近して位置するように配置するとともに、一対のロック解除操作体５の摘み部５ｃが、所定の間隙ｗ１を置いて位置するように、ロック解除本体４間に位置するロック部材配設領域に配置する。このようにして、一対のロック解除本体４と一対のロック解除操作体５とからなるロック部材Ｌ１が、短側壁３に取り付けられるように構成されている。
【００２２】
箱型に組み立てられた折り畳みコンテナーを折り畳む際には、一対のロック解除操作体５の、互いに所定の間隙ｗ１を置いて配置された摘み部５ｃを、互いに接近する方向に移動させると、ロック解除操作体５の押出枠５ｂが、ロック解除本体４を、ロック解除本体４に形成された弾性条片４ｄ１の弾性力に抗して、長側壁２方向に移動させることになる。このロック解除本体４の長側壁２方向への移動により、ロック解除本体４の押圧部４ｂと対峙している、長側壁２に形成されている係止弾性片２ｇの係止突部２ｇ１が、ロック解除本体４の押圧部４ｂに押されて、係止弾性片２ｇが、外側に弾性変形し、長側壁２に形成された係止弾性片２ｇの係止突部２ｇ１が、短側壁３の張出枠３ｃから外れることになり、長側壁２に形成された係止弾性片２ｇの係止突部２ｇ１が、短側壁３の張出枠３ｃから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができるように構成されている。
【００２３】
次に、本発明の実施例について説明するが、本出願人の先の出願に係る上述した特許文献２を基づいて、中仕切り部材が配設されていない折り畳みコンテナーについて概説した際に使用された図面中の符号については、同じ符号を使用することにする。
【００２４】
先ず最初に、ロック部材Ｌ１を構成する一対のロック解除本体４と、上述した特許文献２に記載されているロック解除本体４との相違点について、図１及び図２を用いて説明する。
【００２５】
本発明においては、ロック解除本体４の略方形状の基部４ａの下部水平部４ａ１には、中仕切り部材載置部材Ｓ１が形成されている。中仕切り部材載置部材Ｓ１は、下部水平部４ａ１を水平方向に延長することにより形成された水平部ｓ１と、該水平部ｓ１の先端から、下方に、垂直状に垂下された垂直部ｓ２と、該垂直部ｓ２の下端部に、下部水平部４ａ１から遠ざかる方向に、水平状に延在するブロック状の中仕切り部材載置部ｓ３とを有している。中仕切り部材載置部ｓ３は、垂直部ｓ２に対して略垂直な上部水平面ｓ３ａと、該上部水平面ｓ３ａの先端から下方に延在する垂直面ｓ３ｂと、該垂直面ｓ３ｂの下縁から垂直部ｓ２に延在する傾斜面ｓ３ｃと、相対する側面ｓ３ｄと、下部水平面ｓ３ｅとから形成されている。
【００２６】
一方、ロック部材Ｌ１が配設される、短側壁３のロック部材配設領域内に位置する短側壁３の板状部３ａには、図３に示されているように、一対の水平方向に延在する横長透孔３０が穿設されている。本実施例においては、横長透孔３０が、第１水平リブ３ｇ１と内側垂直リブ３ｇ３とにより形成される隅部に、第１水平リブ３ｇ１に沿って穿設されている例が示されている。
【００２７】
図４及び図５に示されているように、横長透孔３０には、ロック解除本体４に連接された中仕切り部材載置部材Ｓ１を構成する水平部ｓ１が挿入されるとともに、水平部ｓ１が、水平方向に移動可能なように構成されている。横長透孔３０に、水平部ｓ１が挿入された際には、中仕切り部材載置部材Ｓ１を構成する垂直部ｓ２が、短側壁３の板状部３ａの内面（箱型に組み立てられた状態において、折り畳みコンテナーの内側に位置する面）３ａ１に沿って、且つ、内面３ａ１に近接して位置するように構成されている。
【００２８】
折り畳みコンテナーが、箱型に組み立てられた状態（ロック部材Ｌ１の一対のロック解除操作体５の摘み部５ｃに、所定の間隙ｗ１が形成されている状態）においては、中仕切り部材載置部材Ｓ１の水平部ｓ１が、図４に示されているように、横長透孔３０の短側壁３の中央寄りに位置し、また、一対のロック解除操作体５を、互いに接近する方向に移動させた際には、中仕切り部材載置部材Ｓ１の水平部ｓ１が、横長透孔３０の短側壁３の周辺リブ３ｂを形成する側部３ｂ１寄りに移動するように構成されている。
【００２９】
次に、図６及び図７を用いて、上述した折り畳みコンテナーに配設される中仕切り部材Ｐ１について説明する。
【００３０】
中仕切り部材Ｐ１は、相対する長辺梁ｐ１ａと相対する短辺梁ｐ１ｂとからなる額縁状の周枠ｐ１と、相対する短辺梁ｐ１ｂに平行に、且つ、相対する長辺梁ｐ１ａに連結された短辺仕切り梁ｐ２と、周枠ｐ１の相対する長辺梁ｐ１ａに平行に、且つ、短辺仕切り梁ｐ２と短辺梁ｐ１ｂとを連結する長辺仕切り梁ｐ３とを有している。なお、本実施例においては、短辺仕切り梁ｐ２が一本と、長辺仕切り梁ｐ３が、４本、形成されている例が示されており、このように構成することにより、中仕切り部材Ｐ１には、周枠ｐ１と短辺仕切り梁ｐ２と長辺仕切り梁ｐ３とにより囲まれた物品嵌合嵌合透孔Ａ１が、６個、形成されている。短辺仕切り梁ｐ２や長辺仕切り梁ｐ３の本数は、物品の大きさに応じて、適宜、設定することができる。
【００３１】
中仕切り部材Ｐ１の相対する周枠ｐ１の短辺梁ｐ１ｂの両端部付近には、上述したロック部材Ｌ１のロック解除本体４に形成された中仕切り部材載置部材Ｓ１の中仕切り部材載置部ｓ３が、通過可能な載置部通過可能切欠き凹部ｐ４が形成されている。載置部通過可能切欠き凹部ｐ４は、短辺梁ｐ１ｂに沿った奥部垂直面ｐ４ａと、奥部垂直面ｐ４ａに垂直で、且つ、長辺梁ｐ１ａ側に位置する垂直側面ｐ４ｂと、中仕切り部材Ｐ１の上面から、相対する垂直側面ｐ４ｂ方向に、下方に傾斜して延在する案内傾斜面ｐ４ｃとにより形成されている。
【００３２】
折り畳みコンテナーが箱型に組み立てられ、且つ、短側壁３に配設されたロック部材Ｌ１を構成する一対のロック解除操作体５の摘み部５ｃが、所定の間隙ｗ１を置いて配置された状態において、換言すれば、ロック部材Ｌ１により、短側壁３が底部１方向に倒れないように、短側壁３が、長側壁２にロックされたロック状態において、箱型に組み立てられた状態の折り畳みコンテナーの開口部から、水平状態に、中仕切り部材Ｐ１を挿入すると、図８及び図９に示されているように、中仕切り部材Ｐ１の短辺梁ｐ１ｂに形成された載置部通過可能切欠き凹部ｐ４を形成する案内傾斜面ｐ４ｃ付近に位置する短辺梁ｐ１ｂの下面が、ロック解除本体４に連接された中仕切り部材載置部ｓ３の上部水平面ｓ３ａに載置され、折り畳みコンテナーに、中仕切り部材Ｐ１が水平状に配設されることになる。このように、箱型に組み立てられた折り畳みコンテナーに、中仕切り部材Ｐ１が水平状に配設された際には、中仕切り部材載置部材Ｓ１の水平部ｓ１が、図４に示されているように、横長透孔３０の短側壁３の中央寄りに位置している。
【００３３】
箱型に組み立てられた状態の折り畳みコンテナーを折り畳む際には、ロック部材Ｌ１を構成する一対のロック解除操作体５の摘み部５ｃを、互いに接近する方向に接近させると、ロック部材Ｌ１を構成する一対のロック解除操作体５の押出枠５ｂが、長側壁２方向に移動し、ロック部材Ｌ１のロック解除本体４を、長側壁２方向に押し出すことになる。この、ロック解除本体４の長側壁２方向への移動により、ロック解除本体４の押圧部４ｂが、長側壁２に形成されている片持ち状の係止弾性片２ｇの係止突部２ｇ１を、外側に弾性変形させることにより、長側壁２に形成された長側壁２の係止弾性片２ｇの係止突部２ｇ１が、短側壁３の張出枠３ｃから外れ、この時点で、短側壁３を、底部１方向に倒すことができるように構成されている。
【００３４】
上述した、ロック部材Ｌ１による長側壁２と短側壁３とのロック状態の解除作業の際に、ロック部材Ｌ１を構成する一対のロック解除操作体５の摘み部５ｃを、互いに接近する方向に接近させると、中仕切り部材載置部材Ｓ１の水平部ｓ１が、横長透孔３０の短側壁３の周辺リブ３ｂを形成する側部３ｂ１寄りに移動し、ロック部材Ｌ１のロック解除本体４に連接された中仕切り部材載置部材Ｓ１の中仕切り部材載置部ｓ３が、中仕切り部材Ｐ１の相対する周枠ｐ１の短辺梁ｐ１ｂの両端部付近に形成された載置部通過可能切欠き凹部ｐ４の真下に位置することになる。従って、中仕切り部材載置部材Ｓ１の中仕切り部材載置部ｓ３が、中仕切り部材Ｐ１の相対する周枠ｐ１の短辺梁ｐ１ｂの両端部付近に形成された載置部通過可能切欠き凹部ｐ４を通過し、中仕切り部材Ｐ１が、図１０に示されているように、底部１方向に下降することになる。このようにして、中仕切り部材Ｐ１が、底部１に載置されるように下降した後、或いは、底部１に収容された下部仕切り部材Ｄに載置された後、ロック部材Ｌ１による長側壁２と短側壁３とのロック状態が解除された短側壁３を、底部１方向に倒し、次いで、長側壁２を、底部１に重ねられるように倒された短側壁３に重ねるように倒すことにより、箱型に組み立てられた状態の折り畳みコンテナーが、折り畳まれるように構成されている。なお、下部仕切り部材Ｄには、中仕切り部材Ｐ１に形成された物品嵌合嵌合透孔Ａ１に対応して、物品の下端部が嵌合される凹部ｄ１が形成されている。
【００３５】
上述したように、構成することにより、箱型に組み立てられた状態の折り畳みコンテナーを折り畳む際には、単に、ロック部材Ｌ１を解除状態とすることにより、中仕切り部材Ｐ１を、底部１方向に下降させることができるので、作業者は、中仕切り部材Ｐ１に触ることなく、折り畳みコンテナーを折り畳むことができるので、折り畳みコンテナーの折り畳み作業の作業性が向上する。
【００３６】
また、折り畳みコンテナーが折り畳まれた状態においては、中仕切り部材Ｐ１が、長側壁２及び短側壁３の下方に位置するので、中仕切り部材Ｐ１が、折り畳まれた状態の折り畳みコンテナーから外れるようなことを防止することができる。
【００３７】
更に、折り畳まれた状態の折り畳みコンテナーを、箱型に組み立てるには、上述したように、長側壁２を垂直方向に回動し、次いで、短側壁３を垂直方向に立てることにより、折り畳みコンテナーを、箱型に組み立てることができる。その後、底部１付近に位置している中仕切り部材Ｐ１を上動させると、ロック解除本体４に連接されている中仕切り部材載置部材Ｓ１を構成する中仕切り部材載置部ｓ３が、中仕切り部材Ｐ１の短辺梁ｐ１ｂに形成された載置部通過可能切欠き凹部ｐ４の案内傾斜面ｐ４ｃに当接するように構成されている。この状態から、更に、中仕切り部材Ｐ１を上動させると、ロック解除本体４に連接されている中仕切り部材載置部材Ｓ１が、載置部通過可能切欠き凹部ｐ４の案内傾斜面ｐ４ｃに沿って、且つ、ロック解除本体４に形成された弾性翼部４ｄに抗して、長側壁２方向に移動することになる。そして、中仕切り部材載置部材Ｓ１を構成する中仕切り部材載置部ｓ３が、中仕切り部材Ｐ１の短辺梁ｐ１ｂに形成された載置部通過可能切欠き凹部ｐ４の真下に位置した後、更に、中仕切り部材Ｐ１を上動させると、中仕切り部材載置部ｓ３が、載置部通過可能切欠き凹部ｐ４を通過し、その後、ロック解除本体４に形成された弾性翼部４ｄの弾性復元力により、ロック解除本体４が、互いに、接近する方向に移動し、中仕切り部材Ｐ１の相対する周枠ｐ１の短辺梁ｐ１ｂの両端部付近に形成された板載置部挿通可能切欠き凹部ｐ４の中央寄りに位置する周枠ｐ１の短辺梁ｐ１ｂの下面が、ロック部材Ｌ１のロック解除本体４に形成された中仕切り部材載置部材Ｓ１の中仕切り部材載置部ｓ３の上面に載置され、中仕切り部材Ｐ１が、折り畳みコンテナーに配設されることになる。
【００３８】
上述したように構成されているので、底部１付近に位置している中仕切り部材Ｐ１を上動させるだけで、箱型に組み立てられた状態において、中仕切り部材Ｐ１の相対する周枠ｐ１の短辺梁ｐ１ｂの下面を、ロック部材Ｌ１のロック解除本体４に形成された中仕切り部材載置部材Ｓ１の中仕切り部材載置部ｓ３の上面に載置することができるので、中仕切り部材Ｐ１の折り畳みコンテナーへの配設を、簡単に、且つ、迅速に行うことができる。
【００３９】
図１２〜図１４に示されている別の実施例の中仕切り部材Ｐ２は、周枠ｐ１の相対する長辺梁ｐ１ａの両端部に、平面形状が、方形状の突出片ｐ５を突設したものである。それ以外の構成は、上述した中仕切り部材Ｐ１と同じである。
【００４０】
そして、長側壁２の板状部２ａの内面（箱型に組み立てられた際に、折り畳みコンテナーの内部に位置する面）２ａ１には、下方が開放された、縦長に延在する縦長凹部ｃ４ａが形成されており、また、長側壁２がヒンジ連結されている底部１の長辺側土手部１ａの内面にも、上方が開放された、縦長に延在する縦長凹部ｃ４ｂが形成されている。そして、折り畳みコンテナーが、箱型に組み立てられた際には、長側壁２の内面２ａ１に形成された縦長凹部ｃ４ａと、底部１の長辺側土手部１ａの内面に形成された縦長凹部ｃ４ｂとにより、上述した中仕切り部材Ｐ２に形成された突出片ｐ５が挿入可能な突出片挿入凹部ｃ４が形成されている。
【００４１】
箱型に組み立てられた状態の折り畳みコンテナーに、中仕切り部材Ｐ２を配設するには、中仕切り部材Ｐ２の短辺梁ｐ１ｂを湾曲変形させて、中仕切り部材Ｐ２を、折り畳みコンテナー内に収納するとともに、中仕切り部材Ｐ２の相対する長辺梁ｐ１ａの両端部に形成された突出片ｐ５を、上述した突出片挿入凹部ｃ４に挿入する。このようにして、中仕切り部材Ｐ２が、折り畳みコンテナーに配設されることになる。
【００４２】
上述したように構成されているので、箱型に組み立てられた状態の折り畳みコンテナーに、中仕切り部材Ｐ２を配設した際に、中仕切り部材Ｐ２が上動しても、中仕切り部材Ｐ２の突出片ｐ５が、長側壁２の板状部２ａの内面２ａ１に形成された縦長凹部ｃ４ａの天部ｃ４ａ’に当接するので、中仕切り部材Ｐ２が、箱型に組み立てられた状態の折り畳みコンテナーから外れるようなことを防止することができる。
【００４３】
また、中仕切り部材Ｐ２の突出片ｐ５が、長側壁２の内面２ａ１に形成された縦長凹部ｃ４ａと底部１の長辺側土手部１ａの内面に形成された縦長凹部ｃ４ｂとにより形成される突出片挿入凹部ｃ４に沿って、中仕切り部材Ｐ２が、上下動するように構成されているので、中仕切り部材Ｐ２を、安定した状態で上下動することができる。
【００４４】
次に、図１５〜図２２を用いて、更に別の実施例について説明する。
【００４５】
この実施例においても、箱型に組み立てられた状態から、先に倒される短側壁３に、ロック部材Ｌ２が配設されており、この実施例においては、ロック部材Ｌ２が上下動する形式のものである。このような形式のロック部材Ｌ２は、一例として、特許文献３に開示されている。
【００４６】
先ず最初に、図１５を用いて、短側壁３について概説する。
【００４７】
短側壁３の上部水平部３ｂ２の直ぐ下方には、ロック部材配設領域が配設される領域を規制する領域規制用上部水平部３ｈが形成されているが、このような領域規制用上部水平部３ｈは、適宜、省略することができる。また、短側壁３には、上述した実施例と同様に、領域規制用上部水平部３ｈや第１水平リブ３ｇ１やや第２水平リブ３ｇ２や内側垂直リブ３ｇ３や周辺リブ３ｂを構成する側部３ｂ１等により、後述するロック部材Ｌ２が配設される領域が形成されている。
【００４８】
また、第１水平リブ３ｇ１の両端には、垂直方向に延在する垂直リブ３ｉが垂設されているとともに、垂直リブ３ｉの下端と短側壁３の側部３ｂ１との間には、連結水平リブ３ｊが形成されている。更に、連結水平リブ３ｊの上方に位置する短側壁３の板状部３ａには、後述するロック部材Ｌ２の中仕切り部材載置部が挿入可能な透孔３１が穿設されている。透孔３１の下端縁３１ａは、第１水平リブ３ｇ１まで略達するように構成されている。更に、透孔３１の下端縁３１ａからは、連結水平リブ３ｊの先端に連結するように、且つ、短側壁３の外面（箱型に組み立てられた際に、折り畳みコンテナーの外側に位置する面）３ａ２から、遠ざかる方向に、下方に延在する案内傾斜片３ｍが形成されている。なお、案内傾斜片３ｍは、垂直リブ３ｉと側部３ｂ１とを架橋するように構成されている。
【００４９】
次に、図１６を用いて、一体成形されたロック部材Ｌ２について概説する。
【００５０】
ロック部材Ｌ２は、横長のロック部材本体４０ａと、ロック部材本体４０ａの相対する垂直面４０ｂから、垂直面４０ｂに垂直に延設された係止バー４０ｃと、ロック部材本体４０ａの下面４０ａ１から、係止バー４０ｃ方向に向かって延在する一対の板状の弾性条片４０ｄとを有している。
【００５１】
次に、図１７及び図１８を用いて、ロック部材Ｌ２に配設される中仕切り部材載置部材Ｓ２について説明する。
【００５２】
中仕切り部材載置部材Ｓ２は、縦長で板状の垂直基部ｓ１０と、垂直基部ｓ１０の上端から、水平方向に延在する板状の上端水平部ｓ１１と、上端水平部ｓ１１の下方に位置するとともに、上端水平部ｓ１１と平行に、垂直基部ｓ１０から延在する板状の上部水平部ｓ１２とを有している。なお、上端水平部ｓ１１の先端面ｓ１１ａと上部水平部ｓ１２の先端面ｓ１２ａとは、垂直基部ｓ１０からの突出量が略同一に形成されている。
【００５３】
また、中仕切り部材載置部材Ｓ２の垂直基部ｓ１０の下端には、垂直基部ｓ１０の下端から、上端水平部ｓ１１及び上部水平部ｓ１２方向に、垂直基部ｓ１０から離反方向に延在する板状の弾性部ｓ１３が連接されており、弾性部ｓ１３の上端には、略逆台形ブロック状の中仕切り部材載置部ｓ３０が形成されている。中仕切り部材載置部ｓ３０は、上述した上部水平部ｓ１２と平行な天部ｓ３０ａと、垂直基部ｓ１０と略平行に形成された垂直基部側垂直側面ｓ３０ｂと、該垂直基部側垂直側壁ｓ３０ｂと相対する、上方から下方に向かって、垂直基部ｓ１０に接近する傾斜面ｓ３０ｃと、相対する垂直側面３０ｄとを有している。そして、弾性部ｓ１３に、負荷が加わっていない状態においては、中仕切り部材載置部ｓ３０の先端ｓ３０ｅが、上端水平部ｓ１１の先端面ｓ１１ａ及び上部水平部ｓ１２の先端面ｓ１２ａとから、外側に突出するように構成されている。更に、垂直基部ｓ１０と上端水平部ｓ１１と上部水平部ｓ１２とにより、中仕切り部材載置部材Ｓ２には、上述したロック部材Ｌ２を構成する係止バー４０ｃが嵌合する係止バー嵌合凹部ｓ３０ｆが形成されている。
【００５４】
次に、ロック部材Ｌ２への中仕切り部材載置部材Ｓ２の取り付けについて説明する。
【００５５】
ロック部材Ｌ２の係止バー４０ｃに、中仕切り部材載置部材Ｓ２に形成された係止バー嵌合凹部ｓ３０ｆを嵌合させることにより、図１９に示されているように、ロック部材Ｌ２の係止バー４０ｃに、中仕切り部材載置部材Ｓ２を取り付ける。また、短側壁３に形成されたロック部材配設領域に、中仕切り部材載置部材Ｓ２が配設されたロック部材Ｌ２を配設することになるが、この際、中仕切り部材載置部材Ｓ２に形成された係止バー嵌合凹部ｓ３０ｆの開口部が、短側壁３の板状部３ａの内面３ａ１側に位置するように配置する。
【００５６】
また、中仕切り部材載置部材Ｓ２の中仕切り部材載置部ｓ３０が、短側壁３の板状部３ａに穿設された透孔３１に挿入され、且つ、短側壁３の板状部３ａを越えて、箱型に組み立てられた状態の折り畳みコンテナー内に、突出するように構成されているとともに、中仕切り部材載置部ｓ３０の下部が、短側壁３に形成された側部３ｂ１と垂直リブ３ｉと案内傾斜片３ｍとにより形成される、中仕切り部材載置部挿入凹部３ｎに挿入されるように構成されている。また、ロック部材Ｌ２の一対の板状の弾性条片４０ｄの先端が、図２０に示されているように、短側壁３の第１水平リブ３ｇ１に、当接、或いは、接近して位置するように構成されている。
【００５７】
箱型に組み立てられた状態の折り畳みコンテナーに、中仕切り部材Ｐ２を配設した際には、中仕切り部材Ｐ２の短辺梁ｐ１ｂが、短側壁３の板状部３ａに穿設された透孔３１に挿入され、且つ、図２１に示されているように、短側壁３の板状部３ａの内面３ａ１を越えて突出されている中仕切り部材載置部材Ｓ２の中仕切り部材載置部ｓ３０に載置され、中仕切り部材Ｐ２が、箱型に組み立てられた状態の折り畳みコンテナー内に配設されるように構成されている。なお、公知のように、折り畳みコンテナーが箱型に組み立てられた状態においては、ロック部材Ｌ２の係止バー４０ｃが、長側壁２に形成された、下方が開放された係合凹部に嵌合され、短側壁３が、不用意に、底部１方向に倒れないように構成されている。
【００５８】
箱型に組み立てられた状態の折り畳みコンテナーを折り畳む際には、ロック部材Ｌ２を、弾性条片４０ｄの弾性力に抗して、下方に移動させると、中仕切り部材載置部ｓ３０の傾斜面ｓ３０ｃが、短側壁３に形成された中仕切り部材載置部挿入凹部３ｎ内に形成された案内傾斜片３ｍに当接し、図２２に示されているように、ロック部材Ｌ２を構成する中仕切り部材載置部ｓ３０を、短側壁３の内面３ａ１から引っ込ませて、中仕切り部材Ｐ２が、短側壁３の底部１方向に、下動することができるように構成されている。
【００５９】
上述したように構成することにより、作業者が、中仕切り部材Ｐ２に触ることなく、ロック部材Ｌ２を下降させるだけで、折り畳みコンテナーを折り畳むことができるので、折り畳みコンテナーの折り畳み作業の作業性が向上する。
【００６０】
次に、図２３〜図２６を用いて、本発明の更に別の実施例について説明する。
【００６１】
本実施例におけるロック部材Ｌ３は、上述した図１５〜図２２に示される実施例に示されているロック部材Ｌ２とは、次の点で相違する。なお、共通の部材には、同じ符号が使用されている。
【００６２】
この実施例のロック部材Ｌ３も、上述したロック部材Ｌ２と同様に、横長のロック部材本体４０ａと、ロック部材本体４０ａの相対する垂直面４０ｂから、垂直面４０ｂに垂直に延設された係止バー４０ｃと、ロック部材本体４０ａの下面４０ａ１から、係止バー４０ｃ方向に向かって延在する一対の板状の弾性条片４０ｄとを有している。そして、この実施例のロック部材Ｌ３においては、ロック部材本体４０ａの両端部付近に、後述する中仕切り部材載置部材Ｓ３を構成するリンクｓ４０の上端部が挿入可能な、下方が開放されたリンク挿入空間４０ｅが形成されている点で、上述したロック部材Ｌ２と相違する。
【００６３】
中仕切り部材載置部材Ｓ３は、上端部に、上端ピン孔ｓ４０ａと、下端部に、下端ピン孔ｓ４０ｂが、それぞれ穿設されたリンクｓ４０を有している。また、中仕切り部材載置部材Ｓ３を構成する中仕切り部材載置ブロックｓ５０は、上部水平面ｓ５０ａと、該上部水平面ｓ５０ａの先端から下方に延在する垂直面ｓ５０ｂと、該垂直面ｓ５０ｂの下縁から、背面ｓ５０ｃ方向に向かって傾斜した傾斜面ｓ５０ｄと、相対する側面ｓ５０ｅとから形成されている。また、背面ｓ５０ｃの中央部には、リンクｓ４０の下端ピン孔ｓ４０ｂに嵌入可能なピンｓ５０ｆが、背面ｓ５０ｃに垂直に突設されている。ロック部材本体４０ａの両端部付近に形成されたリンク挿入空間４０ｅに、リンクｓ４０の上端部を挿入した後、リンクｓ４０の上端ピン孔ｓ４０ａとロック部材本体４０ａに形成されたピン挿入孔４０ａ２に、ピンｓ６０を嵌入させることにより、リンクｓ４０が、ロック部材本体４０ａに取り付けられるように構成されている。なお、リンクｓ４０へのロック部材本体４０ａへの取り付けについては、他の種々の枢支手段を採用することができる。
【００６４】
また、この実施例においても、短側壁３の板状部３ａには、上述した実施例における図３や図４に示されているように、一対の水平方向に延在する横長透孔３０ａが穿設されている。更に、この実施例において使用される中仕切り部材も、上述した実施例の図６に示されている中仕切り部材Ｐ１と同様であり、中仕切り部材Ｐ１の相対する周枠ｐ１の短辺梁ｐ１ｂに形成された載置部通過可能切欠き凹部ｐ４は、本実施例の中仕切り部材載置ブロックｓ５０が通過可能に構成されている。
【００６５】
短側壁３に形成されたロック部材配設領域に、ロック部材本体４０ａと、ピンｓ６０を介して、ロック部材本体４０ａに枢着されたリンクｓ４０からなる中仕切り部材載置部材Ｓ３を、短側壁３の板状部３ａの外面３ａ２から、短側壁３に取り付けた際には、中仕切り部材載置部材Ｓ３を構成する中仕切り部材載置ブロックｓ５０が、短側壁３の板状部３ａに穿設された横長透孔３０ａに挿入されるように構成されている。このようにして、短側壁３に形成されたロック部材配設領域に、ロック部材Ｌ３を取り付けられた際には、図２６に示されているように、中仕切り部材載置部材Ｓ３を構成する中仕切り部材載置ブロックｓ５０の先端部が、短側壁３の板状部３ａの内面３ａ１から突出するように構成されている。また、ロック部材Ｌ３が、短側壁３に取り付けられた際には、ロック部材本体４０ａに取り付けられた一対のリンクｓ４０の下端部が、互いに離反するように取り付けられるように構成されている。
【００６６】
図２６に示されているように、箱型に組み立てられた折り畳みコンテナーに、中仕切り部材Ｐ１を、水平状に配設した際には、中仕切り部材載置部材Ｓ３を構成する中仕切り部材載置ブロックｓ５０の上部水平面ｓ５０ａに、中仕切り部材Ｐ１を構成する周枠ｐ１の短辺梁ｐ１ｂに形成された載置部通過可能切欠き凹部ｐ４より、短辺梁ｐ１ｂの中央部寄りに位置する裏面が載置され、箱型に組み立てられた折り畳みコンテナーに、中仕切り部材Ｐ１が配設されるように構成されている。この状態においては、ロック部材Ｌ３が、短側壁３の上部水平部３ｂ２側に位置しており、また、中仕切り部材載置ブロックｓ５０が、短側壁３の板状部３ａに穿設された横長透孔３０ａの短側壁３の中央寄り垂直縁側に位置するように構成されている。更に、ロック部材Ｌ３の係止バー４０ｃが、長側壁２に形成された、下方が開放された公知の係合凹部に嵌合され、短側壁３が、不用意に、底部１方向に倒れない、ロック状態となるように構成されている。
【００６７】
上述した状態から、ロック部材Ｌ３を下降させると、一対の弾性条片４０ｄの弾勢力に抗して、ロック部材Ｌ３が下降し、中仕切り部材載置部材Ｓ３を構成する一対のリンクｓ４０の下端部に枢支された中仕切り部材載置ブロックｓ５０が、互いに離反する方向に移動し、中仕切り部材載置ブロックｓ５０が、中仕切り部材Ｐ１を構成する周枠ｐ１の短辺梁ｐ１ｂに形成された載置部通過可能切欠き凹部ｐ４の真下に位置することになる。従って、中仕切り部材載置部材Ｓ３の中仕切り部材載置ブロックｓ５０が、中仕切り部材Ｐ１に形成された載置部通過可能切欠き凹部ｐ４を通過し、中仕切り部材Ｐ１が、底部１方向に下降することになる。このようにして、中仕切り部材Ｐ１が、底部１に載置されるように下降した後、或いは、底部１に収容された下部仕切り部材Ｄに載置された後、ロック部材Ｌ３による長側壁２と短側壁３とのロック状態が解除された短側壁３を、底部１方向に倒し、次いで、長側壁２を、底部１に重ねられるように倒された短側壁３に重ねるように倒すことにより、箱型に組み立てられた状態の折り畳みコンテナーが、折り畳まれるように構成されている。
【００６８】
上述したように構成することにより、作業者が、中仕切り部材Ｐ２に触ることなく、ロック部材Ｌ２を下降させるだけで、折り畳みコンテナーを折り畳むことができるので、折り畳みコンテナーの折り畳み作業の作業性が向上する。
【符号の説明】
【００６９】
１・・・・・・・・・・・・・・・底部
２・・・・・・・・・・・・・・・長側壁
３・・・・・・・・・・・・・・・短側壁
Ｌ１〜Ｌ３・・・・・・・・・・・ロック部材
Ｐ１、Ｐ２・・・・・・・・・・・中仕切り部材
Ｓ１〜Ｓ３・・・・・・・・・・・中仕切り部材載置部材
【図１】
2011121590.tif 000003
【図２】
2011121590.tif 000004
【図３】
2011121590.tif 000005
【図４】
2011121590.tif 000006
【図５】
2011121590.tif 000007
【図６】
2011121590.tif 000008
【図７】
2011121590.tif 000009
【図８】
2011121590.tif 000010
【図９】
2011121590.tif 000011
【図１０】
2011121590.tif 000012
【図１１】
2011121590.tif 000013
【図１２】
2011121590.tif 000014
【図１３】
2011121590.tif 000015
【図１４】
2011121590.tif 000016
【図１５】
2011121590.tif 000017
【図１６】
2011121590.tif 000018
【図１７】
2011121590.tif 000019
【図１８】
2011121590.tif 000020
【図１９】
2011121590.tif 000021
【図２０】
2011121590.tif 000022
【図２１】
2011121590.tif 000023
【図２２】
2011121590.tif 000024
【図２３】
2011121590.tif 000025
【図２４】
2011121590.tif 000026
【図２５】
2011121590.tif 000027
【図２６】
2011121590.tif 000028
【図２７】
2011121590.tif 000029
【図２８】
2011121590.tif 000030
【図２９】
2011121590.tif 000031
【図３０】
2011121590.tif 000032
【図３１】
2011121590.tif 000033